(57)【要約】【目的】家電販売店舗用の移動体端末でデモンストレーション実施を可能とし、且つ、移動体端末の配置自由度を高めるとともに、配線簡略化及び省スペース化を実現可能な家電販売店舗用の移動体端末視聴システムを提供すること。【解決手段】システム１は、屋外に取り付けられるマルチメディア放送用のデジタル波を受信するＶＨＦアンテナ２と、これに接続されデジタル波Ｗ１を増幅し増幅された増幅デジタル波Ｗ２を出力する増幅器３と、増幅器３に接続され増幅デジタル波Ｗ２を漏洩ケーブル６に分配デジタル波Ｗ３として分配する分配器４とを備える。漏洩ケーブル６は、分配デジタル波Ｗ３が漏洩ケーブル６から、屋内デジタル波Ｗ４として送信された場合に、これを当該店舗内の全エリアで受信できるように配置される。屋内デジタル波Ｗ４は、移動体端末７によって受信され、家電販売店舗においてマルチメディア放送の視聴が可能となる。【選択図】図１
2012147350.tif 000002
【特許請求の範囲】
【請求項１】
屋外に取り付けられるマルチメディア放送用のデジタル波を受信する屋外デジタル波受信手段と、
前記屋外デジタル波受信手段に接続され、前記デジタル波を増幅し、増幅された増幅デジタル波を出力する増幅手段と、
前記増幅手段に接続され、前記増幅デジタル波を分配し、分配デジタル波を出力するデジタル波分配手段と、
前記分配デジタル波を伝送すると共にアンテナとして機能する漏洩ケーブルであって、当該家電販売店舗の底面及び／又はその近傍、及び／又は、天井及び／又はその近傍に配設される漏洩ケーブルと、
を備えたことを特徴とする家電販売店舗用の移動体端末視聴システム。
【請求項２】
前記漏洩ケーブルは、並列状、縦横状、円形状及び／又は楕円形状その他当該家電販売店舗内の任意の位置で移動体端末が当該漏洩ケーブルから発信される電波を受信することができるように配設されていることを特徴とする請求項１に記載の家電販売店舗用の移動体端末視聴システム。
【発明の詳細な説明】
【技術分野】
【０００１】
本発明は、地上デジタル波放送の開始に伴って開始されるマルチメディア放送を受信して視聴するための家電販売店舗用の移動体端末視聴システムに関し、更に詳しくは、当該マルチメディア放送の利用促進を図ることはもとより、ギャップフィラー技術及びＶＨＦ帯域アンテナを用いることにより、家電販売店舗用の移動体端末の配置自由度を高めるとともに、配線簡略化を図る技術に関する。
【背景技術】
【０００２】
非特許文献１に開示されているように、２０１１年７月に地上アナログテレビが終了し、アナログテレビは、その電波領域であるＶＨＦ帯域がデジタル化されＵＨＦ帯域に移行する。空きとなるＶＨＦ帯域（現行アナログテレビジョン放送１−１２ｃｈ）のうち、通称ＶＨＦ−ＬＯＷ（現行アナログテレビジョン放送１−３ｃｈ）、及び、通称ＶＨＦ−ＨＩＧＨ（現行アナログテレビジョン放送４−１２ｃｈのうち１０−１２ｃｈ）と称される電波領域がマルチメディア放送に利用される。具体的には、ＶＨＦ−ＬＯＷ（１−３ｃｈ）の電波領域では地域密着型の「地方ブロック向けマルチメディア放送」が開始され、ＶＨＦ−ＨＩＧＨ（１０−１２ｃｈ）の電波領域では全国向けの単一放送「全国向けマルチメディア放送」が開始される。この「マルチメディア放送」は、主に移動体端末、例えば、携帯電話やカーナビ等に向けて開始される新しい放送である。
【先行技術文献】
【非特許文献】
【０００３】
【非特許文献１】http://www.multimedia.co.jp/Multimedia_Broadcast/about_mmb.html
【発明の概要】
【発明が解決しようとする課題】
【０００４】
従って、家電販売店舗においても、この新しい「マルチメディア放送」を受信して新商品の携帯電話やカーナビ等でデモンストレーションを実施（携帯電話でのテレビ放映、カーナビでのテレビ放映・ナビ検索等）するための店舗内設備の導入が望まれている。なぜなら、従来の家電販売店舗における移動体端末の展示は、新たに開始される「マルチメディア放送」の受信を想定したものではなかったため、そのような店舗内設備は導入されていないからである。すなわち、従来においては、そのような店舗内設備は知られていない。
【０００５】
本発明は、上記事情に鑑みてなされたものであり、家電販売店舗用（販売用、展示用）の移動体端末でマルチメディア放送を受信してデモンストレーションの実施を可能とし、且つ、移動体端末の配置自由度を高めるとともに、関連設備の配線簡略化及び省スペース化を実現することができる家電販売店舗用の移動体端末視聴システムを提供することを目的とする。
【課題を解決するための手段】
【０００６】
上記課題を解決するために、本発明に係る家電販売店舗用の移動体端末視聴システムは、
屋外に取り付けられるマルチメディア放送用のデジタル波を受信する屋外デジタル波受信手段と、
前記屋外デジタル波受信手段に接続され、前記デジタル波を増幅し、増幅された増幅デジタル波を出力する増幅手段と、
前記増幅手段に接続され、前記増幅デジタル波を分配し、分配デジタル波を出力するデジタル波分配手段と、
前記分配デジタル波を伝送すると共にアンテナとして機能する漏洩ケーブルであって、当該家電販売店舗の底面及び／又はその近傍、及び／又は、天井及び／又はその近傍に配設される漏洩ケーブルと、を備えたことを要旨とする。
【０００７】
この場合に、前記漏洩ケーブルは、並列状、縦横状、円形状及び／又は楕円形状その他当該家電販売店舗内の任意の位置で移動体端末が当該漏洩ケーブルから発信される電波を受信することができるように配設されていることが望ましい。
【０００８】
本発明に係る家電販売店舗用の移動体端末視聴システムによれば、屋外デジタル波受信手段によって受信されたマルチメディア放送用のデジタル波は増幅手段によって増幅され、増幅デジタル波として出力され、当該増幅デジタル波はデジタル波分配手段によって分配され分配デジタル波として出力され、当該分配デジタル波（すなわち、マルチメディア放送用のデジタル波）は、当該家電販売店舗の底面及び／又はその近傍、及び／又は、天井及び／又はその近傍に配設される漏洩ケーブルにより伝送され電波として当該家電販売店舗内に送信される。従って、家電販売店舗用（販売用、展示用）の移動体端末は当該マルチメディア放送波を受信することができ、これにより、視聴等のデモンストレーションの実施ができるという効果がある。
【０００９】
また、漏洩ケーブルは、当該家電販売店舗の底面及び／又はその近傍、及び／又は、天井及び／又はその近傍に配設されるため、漏洩ケーブルを当該店舗内領域全体をカバーするように配設しておけば、当該店舗内の任意の場所で移動体端末はマルチメディア放送波を受信できる。また、漏洩ケーブルは当該店舗の底面及び／又はその近傍、及び／又は、天井及び／又はその近傍に配設されるため、移動体端末の配置自由度を高めるとともに、関連設備の配線簡略化及び省スペース化を実現することができるという効果がある。
【００１０】
本発明に係る家電販売店舗内用の移動体端末視聴システムの漏洩ケーブルは、並列状、縦横状、円形状及び／又は楕円形状その他当該家電販売店舗内の任意の位置で移動体端末が当該漏洩ケーブルから送信される電波を受信することができるように配設すれば、上記効果は更に高まる。
【図面の簡単な説明】
【００１１】
【図１】本発明の一実施形態に係る家電販売店舗用の移動体端末視聴システム１のシステム構成図である。
【図２】同軸ケーブル５の外観及び内部構造を示す図である。
【図３】漏洩ケーブル６の外観及び内部構造を示す図である。
【符号の説明】
【００１２】
１  家電販売店舗用の移動体端末視聴システム（家電販売店舗用の移動体端末視聴システム）
２  屋外ＶＨＦアンテナ（屋外デジタル波受信手段）
３  増幅器（増幅手段）
４  分配器（デジタル波分配手段）
５  同軸ケーブル
６  漏洩ケーブル（漏洩ケーブル）
７  移動体端末
Ｗ１  ＶＨＦ帯域デジタル波（マルチメディア放送用のデジタル波）
Ｗ２  ＶＨＦ帯域デジタル波を増幅した増幅デジタル波（増幅デジタル波）
Ｗ３  増幅デジタル波を分配した分配デジタル波（分配デジタル波）
Ｗ４  屋内デジタル波（屋内デジタル波）
【発明を実施するための形態】
【００１３】
以下に図面を参照して本発明の実施形態について説明する。
（第一の実施形態）
図１に示す家電販売店舗用の移動体端末視聴システム１は、使用場所は特に限定されないが、家電販売店舗で用いるのに好適であり、屋外ＶＨＦアンテナ２と、増幅器３と、分配器４と、同軸ケーブル５と、漏洩ケーブル６と、移動体端末７とを備える。
【００１４】
屋外ＶＨＦアンテナ２は、屋外に取り付けられ、通称ＶＨＦ−ＬＯＷ（現行アナログテレビジョン放送１−３ｃｈ）、及び／又は、通称ＶＨＦ−ＨＩＧＨ（現行アナログテレビジョン放送４−１２ｃｈのうち１０−１２ｃｈ）と称される電波領域、すなわち、マルチメディア放送用のデジタル波Ｗ１を受信するものである。屋外ＶＨＦアンテナ２は、マルチメディア放送用のデジタル波Ｗ１を受信できるものであれば特に限定されない。
【００１５】
増幅器３は、屋外ＶＨＦアンテナ２に接続され、デジタル波Ｗ１を増幅し、増幅された増幅デジタル波Ｗ２を出力するものである。
分配器４は、増幅器３に接続され、増幅デジタル波Ｗ２を同軸ケーブル５を経由して当該家電販売店舗の「底面及び／又はその近傍」及び／又は「天井及び／又はその近傍」に設けられる複数の漏洩ケーブル６に分配デジタル波Ｗ３として分配する。また、増幅器３及び分配器４は、いわゆるギャップフィラー装置（特に、漏洩ケーブル方式のギャップフィラー装置が好ましい）で代替してもよい。
【００１６】
同軸ケーブル５は、屋外ＶＨＦアンテナ２によって受信されたマルチメディア放送用のデジタル波を伝送するための伝送線として用いられるもので、分配器４と漏洩ケーブル６の間に設けられ、分配器４と同軸ケーブル５との間、同軸ケーブル５と漏洩ケーブル６との間はＦ型接栓で連結される。同軸ケーブル５としては、図２に示す構造を備えたもの、すなわち、内部導体５ａ、絶縁体５ｂ、外部導体５ｃ、シース５ｄから構成される構造を備えたものが用いられる。同軸ケーブル５としては、例えば、ＪＩＳ Ｃ ３５０１準拠やＪＩＳ Ｃ ３５０２準拠のものが用いられるが、これに限定されない。
【００１７】
漏洩ケーブル６は、同軸ケーブル５から伝送される屋内デジタル波Ｗ４を伝送するのみならず、隣接する複数のスロット６ｅが相互に作用して送受信アンテナとして機能する。スロット６ｅから出る電波が屋内デジタル波Ｗ４である。
漏洩ケーブル６は、家電販売店舗の「底面及び／又はその近傍」及び／又は「天井及び／又はその近傍」に設けられ、これにより、分配デジタル波Ｗ３が屋内デジタル波Ｗ４としてスロット６ｅから送信された場合に、移動体端末７が当該屋内デジタル波Ｗ４を当該家電販売店舗内の全エリア又は所望の特定エリアで受信できる。漏洩ケーブル６の先端には終端抵抗（図示略）が接続される。
【００１８】
例えば、漏洩ケーブル６は、１ｍ〜１０ｍ間隔で並列状・縦横状・円形状及び／又は楕円形状その他当該家電販売店舗内の任意の位置で移動体端末７がスロット６ｅから出る電波を受信することができる配設方法で設けられる。
従って、携帯電話の展示が従来のように特定の展示位置に限られることなく、当該家電販売店舗内のどこでも行うことができ、移動体端末７の配置自由度を高めることができる。また、本システム１によれば、屋内デジタル波Ｗ４が無線で受信できるため、配線簡略化が実現される。また、漏洩ケーブル６が用いられるため、それ専用のスペースが特に必要ということはなく（基本的には、漏洩ケーブル６は天井や床を這わせるため）省スペース化が実現される。
【００１９】
漏洩ケーブル６としては、図３に示す構造を備えたもの、すなわち、内部導体６ａ、絶縁体６ｂ、外部導体６ｃ、シース６ｄから構成される構造を備えたものが用いられる。漏洩ケーブル６としては、例えば、ＪＩＳ Ｃ ３５０１準拠やＪＩＳ Ｃ ３５０２準拠の同軸ケーブルの外部導体にスロット６ｅと呼ばれる多数の小さい孔が設けられたものが用いられる。スロット６ｅの形状及び形成手法は、図３のように一定間隔で一直線上に設けられるものに限定されない。例えば、スロット６ｅが螺旋形状を描くように形成してもよいし、スロット６ｅが対向側に形成されるようにしてもよいし、隣接するスロット６ｅが相互に互い違いに形成されるものでもよい。
【００２０】
（第二の実施形態）
第二の実施形態に係る移動体端末視聴システム１０は、自動車ショールーム、各種モーターショー等のイベント会場で移動体端末７としてカーナビゲーションシステムを用いて、マルチメディア放送用デジタル波を受信して、マルチメディア放送を視聴したり、各種ナビゲーション機能のデモンストレーションを行う場合の実施形態に係るシステムである。その他の構成は、上記家電販売店舗内の移動体端末視聴システム１と同様である。
【００２１】
移動体端末視聴システム１０の場合には、会場内であればどこでも自動車を展示することができるため、自動車の配置自由度を高めることができる。また、漏洩ケーブルは、第一の実施形態と同様に配設されるため、配線簡略化や省スペース化を図ることもできる。
【００２２】
以上本発明の一実施形態について説明したが、本発明は上記実施形態に限定されるものではなく、種々の改変が可能である。上記実施形態においては、受信端末となる移動体端末として携帯電話やカーナビを掲げたが、モバイルパソコン、ゲーム機、携帯音楽プレーヤーにも応用が可能である。
【産業上の利用可能性】
【００２３】
本発明に係る家電販売店舗用の移動体端末視聴システムは、家電販売店舗や自動車ショールーム、各種モーターショー等のイベント会場内における家電製品やカーナビの配置の自由度を高めるとともに配線簡略化や省スペース化を図ることができるため、マルチメディア放送の普及促進に供する点で産業上極めて有益である。
【図１】
2012147350.tif 000003
【図２】
2012147350.tif 000004
【図３】
2012147350.tif 000005